(57)【特許請求の範囲】
【請求項１】
タッチパネルの操作面を介してユーザの操作を受け付け、該操作に応じて各種処理を実行する電子装置であって、
ユーザの操作が無効となる操作無効エリアと、該操作が有効となるエリアであって、当該エリアを介してその背後を視認可能な複数の操作有効エリアとが形成されたシートが、前記操作面の全部または一部を覆った状態で当該電子装置に取り付けられると、該シートに形成された前記操作有効エリアが配される前記操作面上の領域である操作領域を検出する検出手段と、
前記検出手段により検出された前記操作領域を、特定の操作を受け付けるための領域として設定する設定手段と、
を備え、
前記シートには、当該シートが取り付けられた際に、当該シートの前記操作有効エリアが、当該シートにより覆われる前記操作面上の領域におけるどの部分に配されるかを示す操作領域検出情報を送信するＩＣタグが設けられており、
前記検出手段は、当該電子装置に取り付けられる前記シートに設けられた前記ＩＣタグから前記操作領域検出情報を読み出し、該操作領域検出情報に基づき、該シートについての前記操作領域を検出すること、
を特徴とする電子装置。
【請求項２】
タッチパネルの操作面を介してユーザの操作を受け付け、該操作に応じて各種処理を実行する電子装置であって、
ユーザの操作が無効となる操作無効エリアと、該操作が有効となるエリアであって、当該エリアを介してその背後を視認可能な複数の操作有効エリアとが形成されたシートが、前記操作面の全部または一部を覆った状態で当該電子装置に取り付けられると、該シートに形成された前記操作有効エリアが配される前記操作面上の領域である操作領域を検出する検出手段と、
前記検出手段により検出された前記操作領域を、特定の操作を受け付けるための領域として設定する設定手段と、
を備え、
前記シートは、矩形に形成されていると共に、同一形状の矩形の前記操作有効エリアが複数形成され、それぞれの前記操作有効エリアは、当該シートの外縁をなす辺に平行な行及び列からなるマトリクス状に並べられており、
さらに、各行は、隣接する他の行、或いは、行に平行な前記辺との間に、一定の間隔が開いた状態で配されると共に、各列は、隣接する他の列、或いは、列に平行な前記辺との間に、一定の間隔が開いた状態で配され、
前記検出手段は、前記シートが取り付けられると、少なくとも一つの行をなす前記操作領域と、少なくとも一つの列をなす前記操作領域とに対する操作に基づき、全ての前記操作領域を検出すること、
を特徴とする電子装置。
【請求項３】
請求項２に記載の電子装置において
前記検出手段は、前記シートが取り付けられると、全ての前記操作領域に対しそれぞれ一回ずつ触れる操作に基づき、それぞれの前記操作領域の凡その位置を把握すると共に、いずれかの前記操作領域の四隅を触れる操作に基づき、該操作領域のそれぞれの前記辺の長さを計測し、前記凡その位置と、それぞれの前記辺の長さとに基づき、全ての前記操作領域を検出すること、
を特徴とする電子装置。
【請求項４】
請求項１から請求項３のうちのいずれか１項に記載の電子装置において、
前記シートには、それぞれの前記操作有効エリアを識別するための凹部或いは凸部の少なくともいずれかが形成されていること、
を特徴とする電子装置。
【請求項５】
請求項１から請求項４のうちのいずれか１項に記載の電子装置において、
前記シートに設けられた前記操作有効エリアは、開口部として構成されていること、
を特徴とする電子装置。
【請求項６】
請求項１から請求項５のうちのいずれか１項に記載の電子装置において、
前記タッチパネルは、静電容量方式のタッチパネルとして構成されており、
前記シートの前記操作無効エリアは、当該操作無効エリアが配される前記操作面上の領域における静電結合を防止可能に構成されていること、
を特徴とする電子装置。
【請求項７】
請求項２を引用する請求項６に記載の電子装置において、
前記外縁に沿って配される前記操作領域を外縁操作領域とすると共に、前記外縁操作領域における前記外縁に隣接する辺に沿ってこれらの外縁操作領域を通過する経路を外縁経路とし、さらに、取り付けられた前記シートに形成された前記操作無効エリアが配される前記操作面上の領域を操作無効領域とし、
前記検出手段は、前記シートが取り付けられると、前記外縁経路をなぞって一周する操作に基づき前記操作無効領域を検出し、検出した前記操作無効領域に基づき、前記操作領域を検出すること、
を特徴とする電子装置。
【請求項８】
請求項１から請求項７のうちのいずれか１項に記載の電子装置において、
前記操作面を介して、ユーザから、当該電子装置に取り付けられた前記シートにより覆われる前記操作面上の領域である取付領域を定める操作を受け付ける受付手段をさらに備え、
前記検出手段は、前記操作領域を、前記受付手段を介して受け付けた操作により定められる前記取付領域上の領域として検出すること、
を特徴とする電子装置。
【請求項９】
タッチパネルの操作面を介してユーザの操作を受け付け、該操作に応じて各種処理を実行する電子装置において、前記操作面に、ユーザの特定の操作を受け付けるための各領域を配置する配置方法であって、
ユーザの操作が無効となる操作無効エリアと、該操作が有効となるエリアであって、当該エリアを介してその背後を視認可能な複数の操作有効エリアとが形成されたシートが、前記操作面の全部または一部を覆った状態で前記電子装置に取り付けられると、該シートに形成された前記操作有効エリアが配される前記操作面上の領域である操作領域を検出する検出手順と、
前記検出手順により検出された前記操作領域を、特定の操作を受け付けるための領域として設定する設定手順と、
を備え、
前記シートには、当該シートが取り付けられた際に、当該シートの前記操作有効エリアが、当該シートにより覆われる前記操作面上の領域におけるどの部分に配されるかを示す操作領域検出情報を送信するＩＣタグが設けられており、
前記検出手順では、当該電子装置に取り付けられる前記シートに設けられた前記ＩＣタグから前記操作領域検出情報を読み出し、該操作領域検出情報に基づき、該シートについての前記操作領域を検出すること、
を特徴とする配置方法。
【請求項１０】
タッチパネルの操作面を介してユーザの操作を受け付け、該操作に応じて各種処理を実行する電子装置において、前記操作面に、ユーザの特定の操作を受け付けるための各領域を配置する配置方法であって、
ユーザの操作が無効となる操作無効エリアと、該操作が有効となるエリアであって、当該エリアを介してその背後を視認可能な複数の操作有効エリアとが形成されたシートが、前記操作面の全部または一部を覆った状態で前記電子装置に取り付けられると、該シートに形成された前記操作有効エリアが配される前記操作面上の領域である操作領域を検出する検出手順と、
前記検出手順により検出された前記操作領域を、特定の操作を受け付けるための領域として設定する設定手順と、
を備え、
前記シートは、矩形に形成されていると共に、同一形状の矩形の前記操作有効エリアが複数形成され、それぞれの前記操作有効エリアは、当該シートの外縁をなす辺に平行な行及び列からなるマトリクス状に並べられており、
さらに、各行は、隣接する他の行、或いは、行に平行な前記辺との間に、一定の間隔が開いた状態で配されると共に、各列は、隣接する他の列、或いは、列に平行な前記辺との間に、一定の間隔が開いた状態で配され、
前記検出手順では、前記シートが取り付けられると、少なくとも一つの行をなす前記操作領域と、少なくとも一つの列をなす前記操作領域とに対する操作に基づき、全ての前記操作領域を検出すること、
を特徴とする配置方法。
【発明の詳細な説明】
【技術分野】
【０００１】
本発明は、タッチパネルを備える電子装置等に関する。
【背景技術】
【０００２】
近年、タッチパネルを備える電子装置が多く流通しているが、このような電子装置によれば、タッチパネル上にソフトウェアボタン等を自由に配置することができ、操作性を高めることができる。また、特許文献１には、ＰＣにインストールされたアプリケーションを用いて、タッチパネルを備えるデジタルカメラの画面上のボタン等のカスタマイズを行うことが記載されている。このようなカスタマイズにより、ボタン等の形状や配置等をユーザの好みに合わせて調整することができ、操作性をより一層高めることが可能となる。
【先行技術文献】
【特許文献】
【０００３】
【特許文献１】特開２００６−２９３６７８号公報
【発明の概要】
【発明が解決しようとする課題】
【０００４】
しかしながら、このようなカスタマイズによりボタン等を無分別に配置してしまうと、ユーザは各ボタン等の配置を把握できなくなる可能性があり、使い勝手が悪化するおそれや、誤操作が発生するおそれがある。
【０００５】
本願発明は上記課題に鑑みてなされたものであり、タッチパネルを備える電子装置において、使い勝手の悪化や誤操作の発生を防ぎつつ、タッチパネル上に各操作を受け付けるための領域を配置することを目的とする。
【課題を解決するための手段】
【０００６】
本発明の一側面に係る電子装置は、タッチパネルの操作面を介してユーザの操作を受け付け、該操作に応じて各種処理を実行するよう構成されている。
そして、この電子装置は、ユーザの操作が無効となる操作無効エリアと、該操作が有効となるエリアであって、当該エリアを介してその背後を視認可能な複数の操作有効エリアとが形成されたシートが、操作面の全部または一部を覆った状態で当該電子装置に取り付けられると、該シートに形成された操作有効エリアが配される操作面上の領域である操作領域を検出する検出手段を備える。また、検出手段により検出された操作領域を、特定の操作を受け付けるための領域として設定する設定手段を備える。
【０００７】
このような構成によれば、複数の操作有効エリアが形成されたシートがタッチパネルに取り付けられた際には、操作有効エリアが配される操作面上の各操作領域に、特定の操作を受け付けるためのいずれかのボタン等が配置される。
【０００８】
したがって、各ボタン等がタッチパネルの操作面上に無分別に配置されることが無く、ユーザにわかり易い態様でボタン等が操作面上に配されるようになり、使い勝手の悪化や誤操作の発生を防ぎつつ、タッチパネル上に各操作を受け付けるための領域を配置することができる。
【０００９】
なお、上記構成において、シートには、それぞれの操作有効エリアを識別するための凹部或いは凸部の少なくともいずれかが形成されていても良い。
このような構成によれば、電子装置にシートを取り付けると、ユーザは、シートに触れるだけで操作面上のどの位置どのようなボタン等が配置されたかを把握することが可能となり、画面を視認することなくタッチパネルを操作することが可能となる。
【００１０】
また、上記構成において、シートに設けられた操作有効エリアは、開口部として構成されていても良い。
このような構成によれば、ユーザは、シートに触れただけで操作領域を判別することができ、電子装置の使い勝手を向上させることができる。
【００１１】
なお、タッチパネルには、静電容量方式や抵抗膜方式等、様々な種類が存在するが、静電容量方式のタッチパネルが用いられる場合には、次のような構成を有していても良い。
すなわち、上記構成において、タッチパネルは、静電容量方式のタッチパネルとして構成されており、シートの操作無効エリアは、当該操作無効エリアが配される操作面上の領域における静電結合を防止可能に構成されていても良い。
【００１２】
こうすることにより、上述のシートが取り付けられた際には、操作面上における操作無効エリアが配される領域への操作が電子装置にて検出されることが無くなり、電子装置の処理負荷を低減させることができる。
【００１３】
なお、上述のシートは、タッチパネルの操作面の全体を覆った状態で電子装置に取り付けられても良いし、操作面の一部を覆った状態で取り付けられても良く、操作面の一部を覆った状態で取り付けられる場合には、次のようにして操作領域を検出しても良い。
【００１４】
すなわち、上記構成において、電子装置は、操作面を介して、ユーザから、当該電子装置に取り付けられたシートにより覆われる操作面上の領域である取付領域を定める操作を受け付ける受付手段をさらに備え、検出手段は、操作領域を、受付手段を介して受け付けた操作により定められる取付領域上の領域として検出しても良い。
【００１５】
このような構成によれば、取付領域以外の領域では、従来と同様に各種情報を表示することや、ボタン等を自由に配置することが可能となり、使い勝手を向上させることができる。
【００１６】
また、電子装置は、次のようにして操作領域を検出しても良い。
すなわち、上記構成において、シートには、操作有効エリアの形状或いは配置が異なる複数の種類が存在する。また、電子装置は、それぞれのシートの種類について、該シートが取り付けられた際に、該シートの操作有効エリアが、該シートにより覆われる操作面上の領域におけるどの部分に配されるかを示す種類別操作領域情報を記憶している記憶手段と、取り付けられるシートの種類を判別する判別手段と、をさらに備える。そして、検出手段は、判別手段による判別結果と、記憶手段に記憶されている種類別操作領域情報とに基づき、取り付けられるシートについての操作領域を検出する。
【００１７】
このような構成によれば、取り付けられたシートの種類に応じて正確に操作領域を検出することができる。
また、具体的には、次のようにして取り付けられたシートの種類を判別しても良い。
【００１８】
すなわち、上記構成において、シートには、当該シートの種類に割り当てられた識別情報を送信するＩＣタグが設けられており、判別手段は、当該電子装置に取り付けられるシートに設けられたＩＣタグから識別情報を読み出し、該識別情報に基づき、該シートの種類を判別しても良い。
【００１９】
こうすることにより、ユーザの手を煩わすことなく、操作領域を正確に検出することができる。
また、上記構成において、シートには、操作有効エリアと同様に構成され、当該シートが取り付けられた際に当該シートの種類に応じて固有に定められた操作面上の位置に配される基準エリアが設けられており、判別手段は、当該電子装置にシートが取り付けられた後に行われる該シートの基準エリアに対する操作を受け付け、該操作に基づき、該シートの種類を判別しても良い。
【００２０】
また、上記構成において、判別手段は、操作面を介してユーザからシートの種類を選択する操作を受け付け、該操作に基づき、当該電子装置に取り付けられるシートの種類を判別しても良い。
【００２１】
こうすることにより、より簡易的な構成により取り付けられるシートの種類を判別することができ、シートや電子装置のコストを抑えつつ、操作領域を正確に検出することが可能となる。
【００２２】
さらに、上記構成において、シートには、当該シートが取り付けられた際に、当該シートの操作有効エリアが、当該シートにより覆われる操作面上の領域におけるどの部分に配されるかを示す操作領域検出情報を送信するＩＣタグが設けられていても良い。そして、検出手段は、当該電子装置に取り付けられるシートに設けられたＩＣタグから操作領域検出情報を読み出し、該操作領域検出情報に基づき、該シートについての操作領域を検出しても良い。
【００２３】
こうすることにより、ユーザの手を煩わすことなく、操作領域を正確に検出することができる。
また、上述した電子装置のように、記憶手段に記憶されている種類別操作領域情報を用いて操作領域を検出するという場合には、種類別操作領域情報に対応していない種類のシートを取り付けることができず、操作領域の数や大きさや配置等のバリエーションが制限されてしまう。
【００２４】
そこで、上記構成において、シートは、矩形に形成されていると共に、同一形状の矩形の操作有効エリアが複数形成され、それぞれの操作有効エリアは、当該シートの外縁をなす辺に平行な行及び列からなるマトリクス状に並べられていても良い。さらに、各行は、隣接する他の行、或いは、行に平行な辺との間に、一定の間隔が開いた状態で配されると共に、各列は、隣接する他の列、或いは、列に平行な辺との間に、一定の間隔が開いた状態で配されていても良い。
【００２５】
そして、検出手段は、シートが取り付けられると、少なくとも一つの行をなす操作領域と、少なくとも一つの列をなす操作領域とに対する操作に基づき、全ての操作領域を検出しても良い。
【００２６】
このような構成によれば、各操作有効エリアの形状や並びに関する条件を満たす限り、電子装置に取り付けられるシートにおける操作有効エリアの数や大きさや配置等を自由に設定することができる。このため、操作領域の数や大きさや配置等のバリエーションを増やすことができ、電子装置の機能やユーザの好みに応じて、より適切に操作領域を設定することが可能となる。
【００２７】
また、シートの種類を自動的に判別するための構成をシートや電子装置に設けることや、電子装置にて種類別操作領域情報を記憶しておく必要が無くなり、電子装置やシートのコストを抑えることができる。
【００２８】
また、上述した電子装置のように、記憶手段に記憶されている種類別操作領域情報を用いて操作領域を検出するという場合には、操作面上に予め定められた取付領域か、或いは、ユーザにより選択された取付領域を覆うようにシートが取り付けられることが前提となる。しかしながら、ユーザがシートを手動で取り付けるという場合には、取り付けられたシートの位置がこれらの取付領域からずれてしまうおそれがあり、このような場合には、シートの取り付けにより実際に形成された操作領域と、検出される操作領域との間に誤差が生じる。
【００２９】
これに対し、上記構成において、シートの取り付けにより実際に形成された操作領域に対する操作に基づき、各操作領域の検出が行われても良い。このため、取り付けの際に生じたずれを考慮して各操作領域を検出することができ、各操作領域をより正確に検出することができる。
【００３０】
また、各操作領域の検出方法としては、例えば、ユーザに各操作領域の四隅を押下する操作を行わせると共に、該操作に基づき各操作領域の四隅の位置を検出し、四隅の位置を結ぶ領域を操作領域として検出するといった方法が考えられる。また、ユーザに各操作領域の外縁をなぞる操作を行わせ、該操作による軌跡を検出することで、各操作領域を検出するといった方法が考えられる。
【００３１】
また、これら以外にも、次のような方法が考えられる。
すなわち、上記構成において、検出手段は、シートが取り付けられると、全ての操作領域に対しそれぞれ一回ずつ触れる操作に基づき、それぞれの操作領域の凡その位置を把握すると共に、いずれかの操作領域の四隅を触れる操作に基づき、該操作領域のそれぞれの辺の長さを計測し、凡その位置と、それぞれの辺の長さとに基づき、全ての操作領域を検出しても良い。
【００３２】
また、上記構成において、シートの外縁に沿って配される操作領域を外縁操作領域とすると共に、外縁操作領域における外縁に隣接する辺に沿ってこれらの外縁操作領域を通過する経路を外縁経路とし、また、取り付けられたシートに形成された操作無効エリアが配される操作面上の領域を操作無効領域としても良い。そして、検出手段は、シートが取り付けられると、外縁経路をなぞって一周する操作に基づき操作無効領域を検出し、検出した操作無効領域に基づき、操作領域を検出しても良い。
【００３３】
こうすることにより、各操作領域の検出に必要となるユーザの操作を少なくすることができ、ユーザの負担を低減することができる。
【００３４】
すなわち、本発明の一側面に係る配置方法は、タッチパネルの操作面を介してユーザの操作を受け付け、該操作に応じて各種処理を実行する電子装置において、操作面に、ユーザの特定の操作を受け付けるための各領域を配置する。
【００３５】
この配置方法は、ユーザの操作が無効となる操作無効エリアと、該操作が有効となるエリアであって、当該エリアを介してその背後を視認可能な複数の操作有効エリアとが形成されたシートが、操作面の全部または一部を覆った状態で電子装置に取り付けられると、該シートに形成された操作有効エリアが配される操作面上の領域である操作領域を検出する検出手順を有する。また、検出手順により検出された操作領域を、特定の操作を受け付けるための領域として設定する設定手順を有する。
【００３６】
このようは配置方法を適用することで、タッチパネルを備える電子装置において、使い勝手の悪化や誤操作の発生を防ぎつつ、タッチパネル上に、各操作を受け付けるための領域を配置することができる。
【図面の簡単な説明】
【００３７】
【図１】電子装置の構成を示すブロック図と、シートの構成を示す説明図である。
【図２】操作領域に対応して各種ボタンが表示された様子を示す説明図と、操作面の下半分にシートが貼り付けられ、操作領域に対応して各種ボタンが表示された様子を示す説明図である。
【図３】手動設定処理についてのフローチャートである。
【図４】手動による操作領域の検出の際に必要となるユーザの操作を示す説明図である。
【図５】手動位置合せ処理１についてのフローチャートである。
【図６】手動による操作領域の検出の際に必要となるユーザの操作を示す説明図と、該操作により生じる操作面とユーザとの接点の軌跡を示す説明図である。
【図７】手動位置合せ処理２についてのフローチャートである。
【図８】自動設定処理についてのフローチャートと、操作設定処理１についてのフローチャートである。
【図９】操作設定処理２についてのフローチャートと、部分シート貼付処理についてのフローチャートである。
【発明を実施するための形態】
【００３８】
以下、本発明の実施形態について図面を用いて説明する。なお、本発明の実施の形態は、下記の実施形態に何ら限定されることはなく、本発明の技術的範囲に属する限り種々の形態を採りうる。
【００３９】
［構成の説明］
まず、本実施形態の電子装置の構成について説明する。この電子装置は、例えば、スマートフォン等の携帯機器や、プリンタ，スキャナ，ＦＡＸ等として構成されており、タッチパネルを備えている。
【００４０】
図１（ａ）に記載されているように、電子装置１０は、周知のＣＰＵ１１，ＲＡＭ１２，ＲＯＭ１３を備え、ＲＡＭ１２やＲＯＭ１３に記憶されたプログラムによりＣＰＵ１１が動作することで、電子装置１０が統括制御される。
【００４１】
また、電子装置１０は、さらに、フラッシュメモリ等の不揮発性メモリから構成された記憶部１４や、各種情報を表示する表示部１５や、表示部１５を覆うように配された静電容量方式のタッチパネル１６や、ＩＣタグから情報を読み取る読取部１７を備える。
【００４２】
そして、電子装置１０では、表示部１５に各種操作に対応するボタン等が表示されると共に、ボタン等の表示位置に対応するタッチパネル１６の操作面上の領域にユーザが触れることで、各種操作が受け付けられる。
【００４３】
そして、タッチパネル１６の操作面には、ユーザの操作が無効となる操作無効エリアと、該操作が有効となる操作有効エリアとが形成されたシートを貼り付けることが可能となっている。
【００４４】
このシートは、操作面上の全体を覆うように貼り付けられても良いし、操作面上の一部に定められた貼付許可領域を覆うように貼り付けられても良い。なお、貼付許可領域の外縁に沿って突起や段差等を形成し、貼付許可領域へのシートの貼り付けを容易化しても良
い。また、シートを貼り付ける領域をユーザにより選択可能としても良く、このような場合には、操作面上に複数の貼付許可領域を設け、どの貼付許可領域にシートを貼り付けるかを選択可能とすると共に、各貼付許可領域の外縁に沿って突起や段差等を形成しても良い。
【００４５】
本実施形態では、このシートは矩形であると共に、操作無効エリアが格子状に形成されている。また、操作無効エリアに囲まれる部分が操作有効エリアとなっており、各操作有効エリアは、同一形状の矩形であると共に透明性を有し、シートの外縁をなす辺に平行な行及び列からなるマトリクス状に並べられている。
【００４６】
そして、各行は、隣接する他の行、或いは、行に平行なシートの外縁をなす辺との間に、一定の間隔が開いた状態で配されると共に、各列は、隣接する他の列、或いは、列に平行なシートの外縁をなす辺との間に、一定の間隔が開いた状態で配される。
【００４７】
図１（ｂ）〜（ｄ）には、このシートの一例としてＡ〜Ｃシート２０〜２２の３種類が記載されており、Ａ〜Ｃシート２０〜２２では、それぞれ、各操作有効エリア２０ｂ，２１ｂ，２２ｂが、３×３，３×４，４×５のマトリクス状に並べられている。なお、操作有効エリアのシートの長手方向の並びを行、短手方向の並びを列とすると共に、長手方向を横方向、短手方向を縦方向とする。
【００４８】
そして、操作無効エリアは、当該エリアが操作面に接した状態でユーザに触れられても、タッチパネル１６に静電結合を生じさせないよう構成されており、Ａ〜Ｃシート２０〜２２が操作面に貼られた際は、当該エリアを介して操作面に触れる操作は無効化される。
【００４９】
具体的には、この操作無効エリアは、例えば、絶縁性プラスチック，絶縁性ゴム，シリコン等の絶縁性材料からなるフィルムとして構成されていても良いし、ガラス繊維等からなる布や毛織物等として構成されていても良い。なお、この操作無効エリアは、当該エリアを介してユーザが操作面に触れた際に、タッチパネル１６における静電結合の発生を防止可能な程度の厚さを有していることは言うまでも無い。
【００５０】
一方、操作有効エリアは、当該エリアが操作面に接した状態でユーザに触れられると、タッチパネル１６に静電結合が生じるよう構成されており、Ａ〜Ｃシート２０〜２２が操作面に貼り付けられた際には、当該エリアを介して操作面に触れる操作は有効となる。
【００５１】
具体的には、この操作有効エリアは、例えば、導電性の材料からなる透明なフィルム（導電性のＰＥＴフィルム等）として構成されていても良いし、開口部として形成されていても良い。
【００５２】
また、各操作有効エリアには、該エリアを識別するための凹部または凸部（図示無し）が形成されている。なお、該エリアを識別するための凹凸が形成されていても良い。また、操作有効エリアが開口部として形成されている場合等には、各操作有効エリアを囲むように、或いは、各操作有効エリアの下方等に隣接して同様の凹凸が形成されていても良い。
【００５３】
また、詳細については後述するが、電子装置１０では、シートが操作面に貼り付けられると、各操作有効エリアが配される操作面上の領域が操作領域として検出される。
Ａ〜Ｃシート２０〜２２が貼り付けられた際には、それぞれ異なる方法で操作領域が検出され、Ｂシート２１には、この操作領域の検出に用いられる情報を出力するＩＣタグ２１ｃが設けられている。また、Ｃシート２２には、操作有効エリアと同様に当該エリアを介して操作面に触れる操作が有効となるよう構成され、当該エリアへの操作が操作領域の
検出のために用いられる基準エリア２２ｃが設けられている。
【００５４】
［動作の説明］
まず、電子装置１０の動作の概要について説明する。
電子装置１０では、タッチパネル１６の操作面にシートが貼り付けられる際に操作領域を検出する処理が行われる。そして、表示部１５には、検出された各操作領域の背後に特定の操作を受け付けるためのボタン等が表示され、各操作領域は、背後に表示されたボタン等に対応する操作を受け付けるための領域として設定される。
【００５５】
図２（ａ）には、操作面１００全体を覆うシートが貼られ、表示部１５にて操作領域１０１〜１０６の背後に各種ボタンが表示された様子を示す説明図が記載されている。
また、図２（ｂ）には、操作面１００の下半分を占める貼付領域１２０を覆うシートが貼り付けられた様子を示す説明図が記載されている。この説明図は、表示部１５にて、貼付領域１２０に形成された複数の操作領域の背後に各種ボタンが表示されることを示している。一方、操作面１００の上半分を占める表示領域１１０（シートにより覆われていない領域）の背後では、表示部１５にてシートの貼り付け前と同様に画像が表示され、表示領域１１０を介して各種操作が受け付けられるということを示している。
【００５６】
次に、シートの貼り付けにより形成される各操作領域の検出方法について説明する。
（１）手動設定処理について
まず、操作面全体を覆うシートの貼り付けにより形成された操作領域に触れる操作に基づき各操作領域を検出する手動設定処理について、図３に記載のフローチャートを用いて説明する。なお、本処理は、Ａ〜Ｃシート２０〜２２のいずれが貼り付けられた場合であっても適用可能であり、手動により操作領域を設定する旨の操作を受け付けた場合に実行される。
【００５７】
Ｓ２０５では、電子装置１０のＣＰＵ１１は、操作面へのシートの貼り付けの完了を待ち、所定の待ち時間が経過すると、Ｓ２１０に処理を移行する。
Ｓ２１０では、ＣＰＵ１１は、ユーザが操作領域に触れる操作に基づき各操作領域を検出する手動位置合せ処理を実行し、該処理が完了すると、Ｓ２１５に処理を移行する。
【００５８】
Ｓ２１５では、ＣＰＵ１１は、表示部１５により各操作領域の背後に特定の操作を受け付けるためのボタン等を表示すると共に、各操作領域を、背後に表示されたボタン等に対応する操作を受け付ける領域として設定するボタン等表示処理を行い、本処理を終了する。
【００５９】
（１−１）手動位置合せ処理１について
次に、手動設定処理からコールされる上述の手動位置合せ処理の一例である手動位置合せ処理１について、図５に記載のフローチャートを用いて説明する。
【００６０】
手動位置合せ処理１では、ユーザから、各操作領域を１回ずつ押下する操作と（図４（ａ）参照）、いずれか一つの操作領域の四隅を押下する操作（図４（ｂ）参照）が行われ、これに基づき操作領域が検出される。
【００６１】
なお、各操作領域を１回ずつ押下する際には、これらをランダムに押下するのではなく、予め定められた順番で各操作領域に押下することが望ましい。具体的には、例えば、上側からに順に各行を選択すると共に、選択された行をなす各操作領域を、操作面１００に向かって左から右に順番に押下することが考えられる。
【００６２】
この手動位置合せ処理１について、以下に説明する。
Ｓ３０５では、電子装置１０のＣＰＵ１１は、図示しないスピーカ等を介して、ユーザに対し、上述した順番で各操作領域を１回ずつ押下する操作を指示し、Ｓ３１０に処理を移行する。
【００６３】
Ｓ３１０，Ｓ３１５では、ＣＰＵ１１は、ユーザからのいずれかの操作領域の押下を受け付けると共に、押下位置を示す座標を検出して記憶し、Ｓ３２０に処理を移行する。
Ｓ３２０では、ＣＰＵ１１は、検出された座標に基づき、押下された操作領域が右下の角に位置する操作領域か否かを判定し、肯定判定の場合には（Ｓ３２０：Ｙｅｓ）、Ｓ３２５に処理を移行する。また、本処理開始後から所定時間が経過したか否かを判定し、肯定判定の場合には（Ｓ３２０：Ｙｅｓ）、Ｓ３２５に処理を移行する。一方、これらの判定のいずれかで否定判定となった場合（Ｓ３２０：Ｎｏ）、Ｓ３１０に処理を移行する。
【００６４】
Ｓ３２５では、ＣＰＵ１１は、検出された各押下位置を各操作領域の凡その位置とし、Ｓ３３０に処理を移行する。
Ｓ３３０では、ＣＰＵ１１は、角に位置するいずれかの操作領域の凡その位置を特定すると共に、操作面上に該位置を中心とした矩形の領域を定め、表示部１５にて該領域の四隅にマークを表示することで該操作領域の四隅の押下を指示し、Ｓ３３５に処理を移行する。なお、この矩形の領域とは、貼り付けが想定されるシートに形成された操作有効エリアのうち、最小の操作有効エリアと同一の形状を有していても良い。
【００６５】
Ｓ３３５，Ｓ３４０では、ＣＰＵ１１は、４回にわたる操作面の押下を受け付けると共に、押下位置を示す座標を検出して記憶する。そして、該座標から該操作領域の各辺の長さを算出して該操作領域の形状を特定し（Ｓ３４５）、Ｓ３５０に処理を移行する。
【００６６】
Ｓ３５０では、ＣＰＵ１１は、各操作領域の凡その位置と操作領域の形状に基づき、各操作領域を検出する。具体的には、各操作領域の凡その位置から、各操作領域がなすマトリクスの行数，列数をカウントし、シートに覆われた操作面上の貼付領域に、仮想的に、特定した形状の操作領域をこの行数及び列数のマトリクス状に並べる。
【００６７】
なお、このマトリクスでは、各行は、隣接する他の行、或いは、行に平行な貼付領域の外縁をなす辺との間に、一定の間隔が開いていると共に、各列は、隣接する他の列、或いは、列に平行なシートの外縁をなす辺との間に、一定の間隔が開いている。
【００６８】
そして、仮想的に並べた各操作領域を、貼り付けられたシートに形成された操作有効エリアが接する領域とみなすことで、各操作領域が検出される。
続くＳ３５５では、ＣＰＵ１１は、検出された各操作領域に、いずれか一つの操作領域の凡その位置が含まれるか否かを判定することで、操作領域の検出に成功したか否かを判定する。そして、肯定判定が得られた場合には（Ｓ３５５：Ｙｅｓ）、Ｓ３６０に処理を移行し、否定判定が得られた場合には（Ｓ３５５：Ｎｏ）、Ｓ３７０に処理を移行する。
【００６９】
Ｓ３６０では、ＣＰＵ１１は、表示部１５等を介して操作領域の検出の完了を報知すると共に、記憶部１４に各操作領域を記憶し（Ｓ３６５）、本処理を終了する。
一方、Ｓ３７０では、ＣＰＵ１１は、表示部１５等を介して各操作領域の検出のやり直しを指示し、本処理を終了する。
【００７０】
（１−２）手動位置合せ処理２について
次に、手動設定処理からコールされる上述の手動位置合せ処理の一例である手動位置合せ処理２について、図７に記載のフローチャートを用いて説明する。
【００７１】
手動位置合せ処理２では、電子装置１０は、外縁経路（貼付領域の外縁に沿って配され
る操作領域である外縁操作領域における該外縁に隣接する辺に沿って、各外縁操作領域を通過する経路）をなぞって一周する操作をユーザから受け付ける（図６（ａ）参照）。
【００７２】
そして、この操作が行われた際には、電子装置１０では、外縁操作領域を通過する操作のみが検出されるため、ユーザと操作面との接点の軌跡として、図６（ｂ）に記載の説明図における軌跡１５０ａ〜１５０ｊが検出される。この説明図が示すように、軌跡１５０ａ〜１５０ｊからは、格子状の操作無効エリアが配される操作面上の領域である操作無効領域を検出可能であり、この操作無効領域に基づき操作領域が検出される。
【００７３】
この手動位置合せ処理２について、以下に説明する。
Ｓ４０５では、電子装置１０のＣＰＵ１１は、図示しないスピーカ等を介して、ユーザに対し、外縁経路をなぞって一周する操作を指示すると共に、該操作を受け付け、周期的にユーザと操作面との接点の座標を検出し（Ｓ４１０）、Ｓ４１５に処理を移行する。
【００７４】
Ｓ４１５では、ＣＰＵ１１は、連続して検出された近接する（所定値未満の距離を有する）二つの接点同士のみを結んで接点の軌跡を生成し、Ｓ４２０に処理を移行する。
Ｓ４２０では、ＣＰＵ１１は、軌跡の切れ目をなす非検出区間（シートの外縁に沿って並ぶ二つの軌跡における、隣接する端部を結ぶ区間）に基づき、内側操作領域（シートの外縁に隣接していない操作領域）を検出し、Ｓ４２５に処理を移行する。
【００７５】
具体的には、シートを挟んで対面する位置にある二つの非検出区間を特定し、二つの非操作区間の組毎に、仮想的に、これら二つの非検出区間における端部を結ぶ交差しない２本の線を操作面上に形成する。そして、この２本の先に挟まれる領域を操作無効領域とすると共に、操作無効領域に囲まれた領域を内側操作領域とする。
【００７６】
Ｓ４２５では、ＣＰＵ１１は、検出した内側操作領域のずれが許容範囲内か否かを判定する。具体的には、例えば、内側操作領域の各辺が、操作面の横方向或いは縦方向に対しどの程度傾いているかにより、ずれが許容範囲内か否かを判定しても良い。
【００７７】
そして、内側操作領域のずれが許容範囲内であると判定された場合には（Ｓ４２５：Ｙｅｓ）、ＣＰＵ１１はＳ４３０に処理を移行し、該ずれが許容範囲外であると判定された場合には（Ｓ４２５：Ｎｏ）、Ｓ４３５に処理を移行する。
【００７８】
Ｓ４３０では、ＣＰＵ１１は、縦方向に延びるいずれかの操作無効領域の幅を算出し、該幅を有する帯状の縦方向操作無効領域を仮想的に生成すると共に、横方向に延びるいずれかの操作無効領域の幅を算出し、該幅を有する帯状の横方向操作無効領域を仮想的に生成する。
【００７９】
また、ＣＰＵ１１は、仮想的に、２本の縦方向操作無効領域をシートの貼付領域の縦方向の各辺に沿って配置すると共に、２本の横方向操作無効領域を貼付領域の横方向の各辺に沿って配置し、縦，横方向操作無効領域と他の操作無効領域に囲まれた領域を外側操作領域とする。
【００８０】
そして、ＣＰＵ１１は、内側及び外側操作領域を、シートの貼り付けにより操作面上に形成された操作領域とし、記憶部１４に記憶すると共に、表示部１５等を介して操作領域の検出が完了したことを報知し、本処理を終了する。
【００８１】
一方、Ｓ４３５では、ＣＰＵ１１は、表示部１５等を介して各操作領域の検出のやり直しを指示し、本処理を終了する。
（２）自動設定処理について
次に、操作面全体を覆うＢシート２１により形成された操作領域を検出する自動設定処理について、図８（ａ）に記載のフローチャートを用いて説明する。
【００８２】
このＢシート２１は、操作有効エリアの数，形状，大きさ，配置位置等により複数の種類（エリア種別とも記載）に分類される。また、ＩＣタグ２１ｃには、Ｂシート２１のエリア種別を示す識別情報か、或いは、Ｂシート２１大きさや、操作有効エリアの数，形状，大きさや、シート上における各操作有効エリアの配置位置等を示す操作領域検出情報が記憶されている。
【００８３】
そして、自動設定処理では、この識別情報或いは操作領域検出情報に基づき、自動的に操作領域が検出される。なお、本処理は、シートの貼り付けを行う旨の操作を受け付けた際に実行される。
【００８４】
Ｓ５０５，Ｓ５１０では、電子装置１０のＣＰＵ１１は、タッチパネル１６を介してＢシート２１の貼り付けを選択する操作を受け付けると、表示部１５を介してＢシート２１の貼り付けを指示し、Ｓ５１５に処理を移行する。
【００８５】
Ｓ５１５では、ＣＰＵ１１は、読取部１７により、操作面に貼り付けられたＢシート２１に設けられたＩＣタグ２１ｃから識別情報或いは操作領域検出情報を読み出す。そして、識別情報を読み出した場合には、該識別情報によりＢシート２１のエリア種別を判別する。
【００８６】
続くＳ５２０では、ＣＰＵ１１は、Ｂシート２１のエリア種別か、或いは、操作領域検出情報に基づき、操作領域を検出する。
具体的には、記憶部１４には、Ｂシート２１の各エリア種別について、該Ｂシート２１が貼り付けられた際に、操作有効エリアが貼付領域のどの部分に配されるかを示す種類別操作領域情報が記憶されており、識別情報が読み出された場合には、ＣＰＵ１１は、該種類別操作領域情報を参照する。そして、種類別操作領域情報とＢシート２１のエリア種別に基づき、Ｂシート２１の貼り付けにより生成された操作領域を検出する。
【００８７】
一方、操作領域検出情報が読み出された場合には、ＣＰＵ１１は、該操作領域検出情報に基づき、Ｂシート２１の貼り付けにより生成された操作領域を検出する。
続くＳ５２５では、ＣＰＵ１１は、ボタン等表示処理を行い、本処理を終了する。
【００８８】
（３）操作設定処理１について
次に、操作面全体を覆うＣシート２２により形成された操作領域を検出する操作設定処理１について、図８（ｂ）に記載のフローチャートを用いて説明する。
【００８９】
Ｃシート２２もまた、Ｂシート２１と同様に複数のエリア種別が存在する。また、各種類のＣシート２２における基準エリア２２ｃの位置は、該Ｃシート２２が貼り付けられた際に、該エリア種別に応じて固有に定められる貼付領域上の位置に配されるよう調整されている。なお、基準エリア２２ｃは、操作有効エリア上に設けられていても良いし、操作無効エリアに囲まれた位置に設けられていても良い。
【００９０】
そして、操作設定処理１では、タッチパネル１６に貼り付けられたＣシート２２の基準エリア２２ｃを押下する操作に基づき操作領域が検出される。なお、本処理は、シートの貼り付けを行う旨の操作を受け付けた際に実行される。
【００９１】
Ｓ６０５〜Ｓ６１５では、電子装置１０のＣＰＵ１１は、タッチパネル１６を介して、Ｃシート２２の貼り付けを選択する操作を受け付けると、表示部１５を介してＣシート２
２の貼り付けや基準エリア２２ｃの押下を指示し、Ｓ６２０に処理を移行する。
【００９２】
Ｓ６２０では、ＣＰＵ１１は、Ｃシート２２がタッチパネル１６の操作面に貼り付けられた後に基準エリア２２ｃの押下を受け付けると共に、押下位置の座標を検出し、該座標に基づきＣシート２２のエリア種別を判別する。
【００９３】
続くＳ６２５では、ＣＰＵ１１は、Ｃシート２２のエリア種別と、記憶部１４に記憶されているＣシート２２に対応する種類別操作領域情報に基づき、操作領域を検出する。
続くＳ６３０では、ＣＰＵ１１は、ボタン等表示処理を行い、本処理を終了する。
【００９４】
（４）操作設定処理２について
次に、操作面の一部を覆う部分シートとして構成されたＡ〜Ｃシート２０〜２２が貼り付けられた際に、ユーザの操作に基づき操作領域を検出する操作設定処理２について、図９（ａ）に記載のフローチャートを用いて説明する。
【００９５】
なお、Ａシート２０もまた、Ｂ，Ｃシート２１，２２と同様に、複数のエリア種別が存在し、操作設定処理２では、ユーザからシートのエリア種別の選択を受け付け、これに基づき操作領域が検出される。また、本処理は、部分シートの貼り付けを行う旨の操作を受け付けた際に実行される。
【００９６】
Ｓ７０５では、電子装置１０のＣＰＵ１１は、タッチパネル１６を介して、貼り付けられる部分シートについてのエリア種別を選択する操作を受け付け、該操作に基づき部分シートのエリア種別を判別し、Ｓ７１０に処理を移行する。
【００９７】
Ｓ７１０では、ＣＰＵ１１は、表示部１５を介して、選択された部分シートの貼り付けを指示し、続くＳ７１５では、部分シートの貼付領域を指定する操作を指示する。
具体的には、例えば、操作面上に定められた複数の貼付許可領域のいずれかに部分シートを貼り付ける場合であれば、部分シートがどの貼付許可領域に貼られた場合でも視認可能となるよう、表示部１５の画面上の複数箇所に貼付許可領域を選択するボタンを表示し、該ボタンの押下を指示しても良い。また、例えば、表示部１５の画面上の複数箇所で、シートに覆われていない表示領域と部分シートの貼付領域の境界をなぞる操作を指示する表示を行っても良い。
【００９８】
続くＳ７２０では、ＣＰＵ１１は、タッチパネル１６を介して部分シートの貼付領域を選択する操作を受付け、該操作に基づき貼付領域を検出し、Ｓ７２５に処理を移行する。
Ｓ７２５では、ＣＰＵ１１は、部分シートのエリア種別と、貼付領域と、記憶部１４に記憶されている種類別操作領域情報とに基づき、部分シートの貼り付けにより生成された操作領域を検出し、Ｓ７３０に処理を移行する。
【００９９】
Ｓ７３０では、ＣＰＵ１１は、ボタン等表示処理を行い、本処理を終了する。
（５）部分シート貼付処理について
次に、部分シートを貼り付けることで形成された操作領域を検出する部分シート貼付処理について、図８（ｂ）に記載のフローチャートを用いて説明する。なお、部分シートは、Ａ〜Ｃシート２０〜２２のいずれとして構成されていても良く、また、本処理は、シートの貼り付けを行う旨の指示を受け付けた際に実行される。
【０１００】
Ｓ８０５では、電子装置１０のＣＰＵ１１は、タッチパネル１６を介して部分シートを貼り付ける旨を受け付けると共に、続くＳ８１０では、部分シートの貼付領域（操作面上の上側，下側，右側，左側等）の選択を受け付け、Ｓ８１５に処理を移行する。
【０１０１】
Ｓ８１５では、ＣＰＵ１１は、表示部１５を介して、選択された貼付領域への部分シートの貼り付けを指示し、続くＳ８２０では、部分シートにより覆われていない操作面上の領域である表示領域を指定する操作を指示する。このとき、例えば、表示領域と貼付領域との境界をなぞる操作や、該境界の端部や角部を押下する操作を指示しても良い。
【０１０２】
続くＳ８２５では、ＣＰＵ１１は、表示領域を指定する操作を検出すると共に、該操作に基づき貼付領域を検出し、Ｓ８３０に処理を移行する。
Ｓ８３０では、ＣＰＵ１１は、貼付領域上の形成された操作領域を検出する。
【０１０３】
具体的には、例えば、貼付領域に対応して手動位置合せ処理１，２を実行しても良い。
また、部分シートがＢシート２１として構成されている場合には、貼付領域を操作面全体とみなして自動設定処理のＳ５１５，Ｓ５２０を実行し、操作領域を検出しても良い。
【０１０４】
また、部分シートがＣシート２２として構成されている場合であれば、操作設定処理１と同様にして基準エリア２２ｃの押下を受け付け、押下位置と貼付領域との位置関係により、Ｃシート２２のエリア種別を判別しても良い。そして、該エリア種別と、貼付領域の配置位置と、記憶部１４に記憶されているＣシート２２に対応する種類別操作領域情報に基づき、操作領域を検出しても良い。
【０１０５】
また、操作設定処理２のように、操作面の表示領域を介して部分シートのエリア種別の選択を受け付け、貼付領域の配置位置と、選択されたエリア種別と、種類別操作領域情報とに基づき操作領域を検出しても良い。
【０１０６】
続くＳ８３５では、ＣＰＵ１１は、ボタン等表示処理を行い、本処理を終了する。
［効果］
本実施形態の電子装置１０によれば、Ａ〜Ｃシート２０〜２２がタッチパネル１６の操作面に貼り付けられた際には、シートの形成された操作有効エリアが配される操作領域に各種ボタン等が配置される。
【０１０７】
このため、各ボタン等が操作面上に無分別に配置されることが無く、ユーザにわかり易い態様でボタン等が操作面上に配され、使い勝手の悪化や誤操作の発生を防ぎつつ、操作面上に各操作を受け付けるための領域を配置することができる。
【０１０８】
また、Ａ〜Ｃシート２０〜２２には、各操作領域を識別するための凹凸が形成されているため、ユーザはシートに触れるだけで操作面上のどの位置どのボタン等が配置されたかを把握でき、画面を視認することなくタッチパネルを操作することが可能となる。
【０１０９】
さらに、各ボタン等が各操作領域に対し固定的に配されるため、付箋やシールを用いて各ボタン等についてのメモ書きを行うことが可能となると共に、シートの材料を適切に選択することで、シートに直接メモを書き込むということも可能となる。
【０１１０】
［他の実施形態］
（１）本実施形態のＡ〜Ｃシート２０〜２２では、各操作有効エリアはマトリクス状に並べられる。また、各行は、隣接する他の行、或いは、行に平行なシートの外縁をなす辺との間に、一定の間隔が開いた状態で配されると共に、各列は、隣接する他の列、或いは、列に平行なシートの外縁をなす辺との間に、一定の間隔が開いた状態で配される。
【０１１１】
しかしながら、操作有効エリアの形状や配置態様は、これに限定されることは無く、このような場合であっても、操作面に対するシートの向きを予め定めておくことで、自動設定処理や、操作設定処理１，２や、部分シート貼付処理により操作領域を検出することが
可能となり、同様の効果を得ることができる。
【０１１２】
また、本実施形態のＡ〜Ｃシート２０〜２２では、各操作有効エリアが同一形状の矩形に形成されているが、一部の操作有効エリアについて、他の操作有効エリアとは異なる形状としても良い。このような場合であっても、自動設定処理や、操作設定処理１，２や、部分シート貼付処理によれば、操作領域を検出することが可能である。
【０１１３】
また、このようなシートが貼り付けられた場合には、電子装置１０にて、手動位置合せ処理１のＳ３０５〜Ｓ３５０の実行後に、形状の異なる操作有効エリアに対応する操作領域の角部を押下する操作や、該操作領域の外縁をなぞる操作をユーザに指示しても良い。そして、ユーザから該操作を受け付け、該操作に基づき該操作領域を検出しても良く、このような方法により、全ての操作領域を検出することができる。
【０１１４】
（２）本実施形態のシートの操作無効エリアは絶縁性材料等からなり、該エリアを介したタッチパネル１６への操作が無効化されるが、該エリアは他の材料により構成され、該エリアを介したタッチパネル１６への操作が有効となっても良い。また、このタッチパネル１６は静電容量方式として構成されているが、他の方式として構成されていても良い。
【０１１５】
このような場合であっても、手動位置合せ処理１や、自動設定処理や、操作設定処理１，２や、部分シート貼付処理によれば、操作領域の検出が可能であり、同様の効果を得ることができる。
【０１１６】
（３）本実施形態の電子装置１０は、ＩＣタグから情報を読み出す読取部１７を備えているが、読取部１７を備えていなくても良い。このような場合であっても、手動位置合せ処理１，２や、操作設定処理１，２や、部分シート貼付処理によれば、操作領域の検出が可能であり、同様の効果を得ることができる。
【０１１７】
（４）また、本実施形態では、シートがタッチパネル１６の操作面に貼り付けられるが、これに限らず、例えば、操作面の外縁に沿って電子装置１０に設けられた留め具等を用いて、操作面を覆った状態でシートを電子装置１０に取り付けても良い。このような場合であっても、同様の効果を得ることができる。
【０１１８】
（５）また、操作設定処理１において、操作面に貼り付けられたＣシート２２の基準エリア２２ｃに対する操作に替えて、Ｃシート２２の貼り付け前にエリア種別を選択する操作を受け付け、該操作に基づき、貼り付けられたＣシート２２のエリア種別を判別しても良い。このような場合であっても、Ｃシート２２のエリア種別の判別が可能であると共に、Ａ，Ｂシート２０，２１が貼り付けられる場合にもエリア種別を判別し、操作領域を検出することができる。
【０１１９】
（６）また、本実施形態のＡ〜Ｃシート２０〜２２には、各操作有効エリアを識別するための凹凸が形成されているが、該凹凸が形成されていなくても良い。このような場合であっても、各ボタン等が操作面上に無分別に配置されることが無くなるため、使い勝手の悪化や誤操作の発生を防ぎつつ、操作面上に各操作を受け付けるための領域を配置することができる。
【０１２０】
［特許請求の範囲との対応］
上記実施形態の説明で用いた用語と、特許請求の範囲の記載に用いた用語との対応を示す。
【０１２１】
電子装置１０の記憶部１４が記憶手段に相当し、貼付領域が取付領域に相当し、シート
の種類がエリア種別に相当する。
また、手動設定処理のＳ２１５が、設定手段，設定手順に相当し、手動位置合せ処理１のＳ３５０が検出手段，検出手順に相当し、手動位置合せ処理２のＳ４２０，Ｓ４３０が検出手段，検出手順に相当する。
【０１２２】
また、自動設定処理のＳ５１５が判別手段に、Ｓ５１５，Ｓ５２０が検出手段，検出手順に、Ｓ５２５が設定手段，設定手順に相当し、操作設定処理１のＳ６２０が判別手段に、Ｓ６２５が検出手段，検出手順に、Ｓ６３０が設定手段，設定手順に相当する。
【０１２３】
また、操作設定処理２のＳ７０５が判別手段に、Ｓ７２０が受付手段に、Ｓ７２５が検出手段，検出手順に、Ｓ７３０が設定手段，設定手順に相当し、部分シート貼付処理のＳ８２５が受付手段に、Ｓ８３０が検出手段，検出手順に、Ｓ８３５が設定手段，設定手順に相当する。
【符号の説明】
【０１２４】
１０…電子装置、１１…ＣＰＵ、１２…ＲＡＭ、１３…ＲＯＭ、１４…記憶部、１５…表示部、１６…タッチパネル、１７…読取部、２０…Ａシート、２０ａ…操作有効エリア、２０ｂ…操作無効エリア、２１…Ｂシート、２１ａ…操作有効エリア、２１ｂ…操作無効エリア、２１ｃ…ＩＣタグ、２２…Ｃシート、２２ａ…操作有効エリア、２２ｂ…操作無効エリア、２２ｃ…基準エリア。
【図３】
0005747772.tif 000002
【図５】
0005747772.tif 000003
【図７】
0005747772.tif 000004
【図８】
0005747772.tif 000005
【図９】
0005747772.tif 000006
【図１】
0005747772.tif 000007
【図２】
0005747772.tif 000008
【図４】
0005747772.tif 000009
【図６】
0005747772.tif 000010